(57)【要約】【課題】コンドーム使用の不自然感を克服し、性的機能を補助向上させる男性機能補助手段。【解決手段】 円形リング１と、該円形リング上方にリングと直交方向に配置された球状振動機構２と、該球状振動機構の前方の球面に形成した半球状突起３と、前記円形リング上の前記振動機構と相対向するリング箇所に一体形成された、前端に小円球を有する湾曲軟質延長部４と、からなる振動、刺激機能を有するコンドーム用電動リングであって、上記振動機構は、モーター、電池、電源に接続する導電シートを内蔵し、着用したコンドーム上にリングを掛着後、前記球状振動機構の上方の突出部５を押して電源を入れ、前記球状振動機構の半球状突起及び湾曲軟質延長部の前端の前記円球を相手側性感帯に接触させて、リングの締付け作用と振動作用により男性器を補助すると共に振動効果を双方に等しく与える。【選択図】図２
0003111034.tif 000002
【実用新案登録請求の範囲】
【請求項１】
円形リングと、該円形リング上に該リングと直交方向に配置された直径約2センチの球状振動機構と、前記球状振動機構の前方の球面に設けた半球状突起と、前記円形リング上の前記振動機構と対向する箇所に一体形成され、前端に直径約0.5センチの円球を有する長さ約1センチの湾曲軟質延長部とから構成され、
前記球状振動機構は、モーター、電池、電源に接続する導電シートからなり、
前記球状振動機構上方の電源ボタンの操作により導電シートを経由して電源を投入すると該モーターの駆動により該電動リング上方に配置された前記球状振動機構により半球状突起及び前記湾曲軟質延長部の前端にある円球を微動させるように連動させて、リングと共に振動させる、
ことを特徴とするコンドーム用電動リング。
【請求項２】
前記円形リングと球状振動機構との間のネック部は、前記円形リングの円弧に沿わない逆円弧形状に予め成形され、前記球状振動機構の左右両側を支持し、該2つの支点と前記球状振動機構の上方の前記突出部とはほぼ正三角形状、または二等辺三角形状を成し、前記逆円弧形状のネック部円弧の直径は前記円形リングの直径より小さい条状環状物からなる、
ことを特徴とする請求項1に記載のコンドーム用電動リング。
【請求項３】
前記円形リング上に配置された前記球状振動機構のほぼ真下側に一体成形された突起状支点を挟んで、前記円形リング下方の円周に沿う2つの小円弧部が向かい合って延設され、前記突起状支点を陰茎に当接させるとき、前記2つの小円弧部が前記球状振動機構を陰茎から滑脱させないように陰茎を挾持する、
ことを特徴とする請求項1に記載のコンドーム用電動リング。
【考案の詳細な説明】
【技術分野】
【０００１】
本考案は、着用したコンドーム上に適用し、男性機能を補助する電動リングに関する。
【背景技術】
【０００２】
近年、世界では人口問題に対して計画的に出生数をコントロールすることが提唱され、その手段の一つとしてコンドームの使用が推奨されている。
最近ではさらに、アフリカ、中南米などにおける急激な人口増加は、気候変動への懸念と相俟って問題化しつつあり、その解決は大きな国際的課題ともなっている。
このため、中国での一人っ子政策を始めとして、各国ともに人口抑制政策に力を入れているが、これらの施策が実効を挙げるためにはコンドームの使用が重点となっている。
また、近年は人口問題に加え、エイズの蔓延など、性行為に伴って世界的に広がる感染症の防止策としても実用上はコンドームが最も現実的対策といえ、これらのエイズ流行地に臨む地域ではその普及が期待されているところである。
このようにコンドームの使用は広く薦められているが、その普及には社会慣習や宗教的な抵抗感の外、使用者に馴染むまで相当に期間が必要であるとともに、使用者にとって抵抗感のないコンドームの開発普及が望まれる。
従来はコンドームの使用は経済的に富裕な先進国において普及し、その品質も近年著しく向上して感触を損なわないものが開発されてきているが、なお、心理的にも着用感からも抵抗があり、普及に支障を来たす要因となっている。特に、性的機能に衰え始めた世代や機能に障害を有するケースなどでは、これらの影響が大きく、これらの性的機能を補助する機能が望まれる。
本出願人は、先にコンドームの上から着用して男性機能を補助する電動リングを提案しており、リング構造によって局所を締め付けてその機能を補助・回復させると共に持続させ、同時に内蔵するモーターによる振動作用によってそれを補助強化することにより、コンドーム使用の違和感を克服するという作用効果を達成することができた（特許文献１）。
【特許文献１】実用新案登録第３１０１１４５号公報
【考案の開示】
【考案が解決しようとする課題】
【０００３】
しかしながら、このような性行為はその本来の機能を十分に発揮させることが必要であると共に相手側との協調関係が重要であって、これらの補助手段においても一方的な作用に留まる限り効果はなく、却って気まずい結果ともなりかねない。
したがって、双方において同時に刺激が伴い、協調することによって共に効果が得られるものでなければコンドーム使用の違和感を克服、解消できないのであり、その普及を図るという本来の目的を達成できないのであるから、本出願人の先の考案においては、なおこれらの作用に改善の余地があった。
【課題を解決するための手段】
【０００４】
円形リングと、該円形リング上に該リングと直交方向に配置された直径約2センチの球状振動機構と、前記球状振動機構の前方の球面に設けた半球状突起と、前記円形リング上の前記振動機構と対向する箇所に一体形成された、前端に直径約0.5センチの円球を有する長さ約1センチの湾曲軟質延長部とから構成され、
前記球状振動機構は、モーター、電池、電源に接続する導電シートからなり、
前記球状振動機構上方の電源ボタンの操作により導電シートを経由して電源を投入すると該モーターの駆動により該電動リングの上方に配置された前記球状振動機構の半球状突起及び前記湾曲軟質延長部の前端にある円球を微動させるように連動させて、リングと共に振動状態とすることを特徴とするコンドーム用電動リングであり、また、前記円形リングのネック部は、前記円形リングの円弧に沿わない逆円弧形状に予め成形され、前記球状振動機構の左右両側を支持し、該２つの支点と前記球状振動機構の上方の前記突出部とはほぼ正三角形状、または二等辺三角形を成しており、前記逆円弧形状のネック部円弧の直径は前記円形リングの直径より小さい条状環状物からなる、
ものとし、或は、前記円形リング上に配置された前記球状振動機構のほぼ真下側に一体成型された突起状支点を挟んでさらに前記円形リング下方の円周に沿う2つの小円弧部が向かい合って延設され、前記突起状支点を陰茎に当接させる際、前記2つの小円弧部が前記球状振動機構を陰茎から滑脱させないように陰茎を挾持する、
コンドーム用電動リングである。
【考案の効果】
【０００５】
本考案は、男性機能を回復・補助するのみでなく、相手側にもバランスよく刺激を与えて協調関係を損なわないため、違和感がなく、心理的に萎縮することなく使用でき、また、快感度の向上と相俟ってコンドーム使用時の違和感を解消することによりコンドーム使用への抵抗感を緩和することができるため、その普及に資することができる。
【考案を実施するための最良の形態】
【０００６】
本考案に係わるコンドーム用電動リングにおいて、円形リング上方においてリングと直交方向に配置された、直径約2センチの球状振動機構を有し、該振動機構がモーター、電池、導電シートを内蔵してなると共に、その外側は硬質ABS（アクリロニトリル・ブタジエン・スチレン）、食品衛生規格級の軟質シリコン樹脂、または熱可塑性エラストマーなどから一体成型された樹脂ケースで被覆され、前記球状振動機構の上方の突出部内に押しボタン式、またはロッド式導電シートを内蔵し、該内蔵されたモーターの後側が電池の一極と接触した状態において、押しボタン、またはロッドを押下して導電シートと接触させ、導電シートの一端と電池の別の一極が接続され、前記突起部を押下して導電シートの別の一極をモーターケースに接触させることにより電源を投入し、前記電動リングの上方に配置された前記球状振動機構の半球状突起が前記球状振動機構に内蔵したモーターのバイブレーションまたは振動の影響を受けて、効果的に振動して性感帯に直接接触できる。ここでの硬質樹脂ケースの材質は、特に限定されておらず、ABS（アクリロニトリル・ブタジエン・スチレン）樹脂のほか、その他の安全衛生基準に合致する材質を採用することができる。前記球状振動機構内の動力はボタン電池から供給され、電力の持続時間は約20分から30分間で、使い捨て型である。
【０００７】
本考案に係わるコンドーム用電動リングにおいて、前記円形リング上の前記振動機構と対向する箇所に予め一体成型された、前端に直径約0.5センチの円球を有する長さ約1センチの湾曲軟質延長部は、電源を入れると、前記前端に円球状を有する湾曲軟質延長部が前記球状振動機構モーターによるバイブレーション、または振動の影響を受け、略円弧状に微動時するなどして、同様に性感帯に作用を及ぼすことができる。
さらに、本考案に係わるコンドーム用電動リングにおいて、前記球状振動機構のほぼ真下側に前記円形リング1に向けて突起状支点が一体成型され、その真上に配置された前記球状振動機構本体に振動、バイブレーションが生じるときに伝達する運動エネルギーにより前記突起状支点をてこの支点として、陰茎に大きい振幅のバイブレーションを生じさせることができる。
さらに、本考案に係わるコンドーム用電動リングにおいて、前記円形リングのネック部は前記円形リングの円弧に沿わない逆円弧形状に予め形成され、前記球状振動機構の左右両側を支持し、前記球状振動機構の上方の突出部とほぼ正三角形状、または二等辺三角形（前記円形リングの2つのネック部が前記球状振動機構の左右両側を支える箇所と、前記球状振動機構の上方の突出部の中心点と構成する形状）を成しており、前記逆円弧形状のネック部の円弧直径は前記円形リングの直径より小さい条状環状物で形成され、前記振動装置本体の振動により異なる振幅のバイブレーションが生じる。
【０００８】
さらに、本考案に係わるコンドーム用電動リングにおいて、前記円形リング上に配置された振動装置本体のほぼ真下側に一体成型された突起状支点を中心に、前記逆円弧形状ネック部の真下にある前記円形リングの円周に沿って2つの小円弧部が向かい合って延設され、この2つの小円弧部は逆円弧形状ネック部の強度を補強するほか、前記突起状支点が陰茎に当接した状態で、前記2つの小円弧部が振動装置本体を陰茎から滑脱させないように陰茎を挾持し、振動装置本体の電源を入れた後、陰茎をより大きい振幅で振動させることができる。
以下、添付図面を参照しながら、実施例に合わせて本考案の技術内容をさらに詳しく説明する。実施例は本考案を限定するものではなく、本考案の技術力を有する通常の技術者が本考案の技術内容に対して行った部材サイズ、形状、材質、構造などの如何なる修飾も本考案の範囲を逸脱しない。
【０００９】
［実施例１］
バイブレーション、振動、刺激機能を有するコンドーム用電動リングであって、
円形リング1と、前記円形リング1上にリング１と直交方向に配置された、直径約2センチの球状振動機構2と、前記球状振動機構2の前方に球面に形成した半球状突起3と、前記円形リング1上の前記振動機構2と相対向するリング箇所に一体形成された、前端に直径約0.5センチの円球を有する長さ約1センチの湾曲軟質延長部4とからなり、
通常の状態で着用したコンドーム上に該コンドーム用電動リングを掛着後、前記球状振動機構2上方の突出部5内のロッド、または押しボタン10を押下し、導電シート11を作動させて電源を投入し、前記電動リングの上方に配置された前記球状振動機構2の半球状突起3を、バイブレーション・振動状態とすると共に、前記電動リング下方の長さ約1センチの湾曲軟質延長部4の前端にある直径約0.5センチの円球を微動させるように連動させ、相手側の性感帯を隈なく刺激することにより、男性器をリングによる締付け作用と振動作用により刺激してその機能を補助・亢進させると共に相対する側にそれに相応じて同時に作用を及ぼす。
前記円形リング1の上方に前記円形リング1と直交方向に配置され、モーター11、電池12、導電シート13を内蔵してなる直径約2センチの球状振動機構2は、その外側は硬質ABS（アクリロニトリル・ブタジエン・スチレン）、食品級衛生規格の軟質シリコン樹脂、または熱可塑性エラストマーなどから一体成型された樹脂ケースで被覆され、前記球状振動機構2上方に押しボタン式か、またはロッド式10の導電シートが内蔵された突出部５が形成され、内蔵されたモーター11の後側が電池12の一極と接触した状態にある。
前記突出部5を押圧するとその中のロッド又は押しボタンを押下げられて導電シート13の別端をモーター11のケースに接触させて、電源が入り、前記電動リングの上方に設けられた前記球状振動機構2の半球状突起3が前記球状振動機構に内蔵したモーター11のバイブレーション、または振動の影響を受け、効果的に相手側の性感帯に接触して作用を及ぼすことができる。
また、前記球状振動機構本体2のほぼ真下において、前記円形リング1向きに突起状支点6が一体成型され、そのほぼ真上に配置された前記球状振動機構本体2に振動、バイブレーションを生じさせるときに伝達する動力エネルギーが、前記突起状支点をてこの支点として陰茎に大きな振幅のバイブレーションを生じさせて、その機能を強化することができる。
【００１０】
［実施例２］
実施例1と同様なバイブレーション、振動、刺激機能を有するコンドーム用電動リングにおいて、前記円形リングのネック部7は前記円形リングの円弧に沿わない逆円弧形状に予め形成されて前記球状振動機構2の左右両側を支持し、前記球状振動機構2の上方の突出部5と略正三角形状、又は二等辺三角形（前記円形リングの2つのネック部が前記球状振動機構の左右両側を支える箇所と、前記球状振動機構上方の突出部の中心点とが構成する形状）を成しており、前記逆円弧形状のネック部7は前記円形リングの直径より小さい条状環状物より形成され、前記球状振動機構2のほぼ真下に前記円状リング1向きに一体形成された突起状支点を挟んで、その下の前記円形リング1の円周に沿って2つの小円弧部8が向かい合って延設され、前記突起状支点6を陰茎に当接させると同時に、前記2つの小円弧部8により陰茎を挾持して、前記振動機構2を滑脱させないようにすると共に、前記球状振動機構の電源を入れたときに陰茎を異なる振幅中のより大きい振動でバイブレーションを生じさせることができる。
【図面の簡単な説明】
【００１１】
【図１】本考案に係わるコンドーム用電動リングの斜視図。
【図２】本考案に係わるコンドーム用電動リングの正面図。
【図３】本考案に係わるコンドーム用電動リングの後面図。
【図４】図２における球状振動機構を備えたバイブレーション、振動、刺激機能を有するコンドーム用電動リングA―A線断面図。
【符号の説明】
【００１２】
1.円形リング
2.球状振動機構
3.半球状突起
4.前端に円球を有する湾曲軟質延長部
5.突出部
6.突起状支点
7.小円弧部
8.円形リングネック部
9.樹脂ケース
10.押しボタン、またはロッド
11.モーター
12.電池
13.導電シート
【図１】
0003111034.tif 000003
【図２】
0003111034.tif 000004
【図３】
0003111034.tif 000005
【図４】
0003111034.tif 000006